(57)【要約】【課題】光電変換効率を向上させることが可能な太陽電池を提供する。【解決手段】光照射により電子及び正孔を生成するキャリア発生層、第１電極、及び第２電極を備え、第１電極及びキャリア発生層は直接又はキャリア移動層を介して接続されるとともに、第２電極及びキャリア発生層は直接又はキャリア移動層を介して接続され、さらに、キャリア発生層の内部に電極が配置され、該電極とキャリア発生層とが直接又はキャリア移動層を介して接続されていることを特徴とする、太陽電池とする。【選択図】図１
2010199389.tif 000002
【特許請求の範囲】
【請求項１】
光照射により電子及び正孔を生成するキャリア発生層、第１電極、及び第２電極を備え、前記第１電極及び前記キャリア発生層は直接又はキャリア移動層を介して接続されるとともに、前記第２電極及び前記キャリア発生層は直接又はキャリア移動層を介して接続され、
さらに、前記キャリア発生層の内部に電極が配置され、該電極と前記キャリア発生層とが直接又はキャリア移動層を介して接続されていることを特徴とする、太陽電池。
【請求項２】
前記第１電極が前記キャリア発生層の表面側に配置され、且つ、前記第２電極が前記キャリア発生層の裏面側に配置されることを特徴とする、請求項１に記載の太陽電池。
【請求項３】
前記キャリア発生層の裏面側に、光を反射させる光反射手段が備えられることを特徴とする、請求項２に記載の太陽電池。
【請求項４】
前記キャリア発生層の内部に、電極Ａ及び電極Ｂが少なくとも配置されるとともに、前記キャリア発生層の前記表面側から前記裏面側に向けて、前記第１電極、前記電極Ａ、前記電極Ｂ、及び、前記第２電極がこの順に配置され、
前記第１電極と前記電極Ａとの間、前記電極Ａと前記電極Ｂとの間、及び、前記電極Ｂと前記第２電極との間に、前記キャリア発生層がそれぞれ配設されていることを特徴とする、請求項２又は３に記載の太陽電池。
【請求項５】
前記キャリア発生層の内部に配置された前記電極が、絶縁層を介して分割され、
分割された前記電極と、前記第１電極と、前記第２電極とが、直列に接続されていることを特徴とする、請求項１〜４のいずれかに記載の太陽電池。
【請求項６】
前記表面側へと入射する光の強度、及び、前記裏面側へと入射する光の強度を考慮して、前記キャリア発生層の内部に配置された前記電極と前記第１電極との間に配設されている前記キャリア発生層の厚さ、及び、前記キャリア発生層の内部に配置された前記電極と前記第２電極との間に配設されている前記キャリア発生層の厚さが決定されていることを特徴とする、請求項５に記載の太陽電池。
【請求項７】
前記表面側へと入射する光の強度をＩ１、前記裏面側へと入射する光の強度をＩ２、前記キャリア発生層の内部に配置された前記電極と前記第１電極との間に配設されている前記キャリア発生層の厚さをｄ１、前記キャリア発生層の内部に配置された前記電極と前記第２電極との間に配設されている前記キャリア発生層の厚さをｄ２、前記キャリア発生層の光吸収係数をα、及び、Ｉ０＝Ｉ２／Ｉ１とするとき、ｄ１及びｄ２が下記式（１）を満たすことを特徴とする、請求項５に記載の太陽電池。
【数１】
2010199389.tif 000012
【請求項８】
前記キャリア発生層の内部に配置された前記電極と、前記第１電極と、前記第２電極とが、並列に接続されていることを特徴とする、請求項１〜４のいずれかに記載の太陽電池。
【請求項９】
前記表面側へと入射する光の強度、及び、前記裏面側へと入射する光の強度を考慮して、前記キャリア発生層の内部に配置された前記電極の前記第１電極側に配設されている前記キャリア移動層の障壁位置、及び、前記キャリア発生層の内部に配置された前記電極の前記第２電極側に配設されている前記キャリア移動層の障壁位置が決定されていることを特徴とする、請求項８に記載の太陽電池。
【発明の詳細な説明】
【技術分野】
【０００１】
本発明は、太陽電池に関する。
【背景技術】
【０００２】
太陽電池は、発電量当たりの二酸化炭素排出量が少なく、発電用の燃料が不要という利点を有している。そのため、様々な種類の太陽電池に関する研究が、盛んに進められている。現在、実用化されている太陽電池の中では、単結晶シリコン又は多結晶シリコンを用いた、一組のｐｎ接合を有する単接合太陽電池が主流となっている。ところが、単接合太陽電池の光電変換効率の理論限界（以下において、「理論限界効率」という。）は約３０％に留まっているため、理論限界効率をさらに向上させる新たな方法が検討されている。
【０００３】
これまでに検討されている新たな方法の１つに、ホットキャリア理論を応用した太陽電池（以下において、「ホットキャリア太陽電池」ということがある。）がある。ホットキャリア太陽電池では、高エネルギーの電子や正孔（以下において、電子及び正孔をまとめて「キャリア」ということがある。）と低エネルギーのキャリアとの相互作用により、エネルギーの授受及び再放出が起こり、所定のエネルギー分布を有する電子が伝導帯中に、所定のエネルギー分布を有する正孔が価電子帯中に、それぞれ生成されることを利用する。このようなホットキャリア太陽電池によれば、理論限界効率を６０％以上にまで向上させることも可能になると考えられている。
【０００４】
太陽電池（光起電力素子も含む）に関する技術として、例えば特許文献１には、ｐｉｎ構造で構成され、光検知層であるｉ層に３次元量子閉じ込め作用をもつ量子ドットを含み、量子ドット及びそれを囲むバリア層のエネルギ・バンド構造がｔｙｐｅＩＩを成す太陽電池が開示されている。また、特許文献２には、受光面を有する半導体基板と、半導体基板内部に埋め込まれた複数の第１の電極と、半導体基板内部に埋め込まれ第１の電極とは極性の異なる複数の第２の電極と、を備え、第１の電極は受光面から第１の距離にあり、第２の電極は受光面から第２の距離にあり、第１及び第２の距離は異なっている内部電極型太陽電池が開示されている。また、特許文献３には、ｎ型又はｐ型半導体基板と、この半導体基板の光入射側とは反対面に設けられ少数キャリアのみに対するポテンシャルバリアとして機能する障壁層と、この障壁層の裏面側に設けられた裏面電極を備え、障壁層が、ｎ型又はｐ型半導体基板と同型でかつ半導体基板を構成する材料よりバンドギャップの大きい半導体材料により構成されている太陽電池が開示されている。また、特許文献４には、基板上にｉ型半導体層が非晶質シリコンからなる第１のｐｉｎ接合と、ｉ型半導体層が結晶質シリコンを含む第２のｐｉｎ接合とを直列に配置した構成を含む光起電力素子が開示されている。また、特許文献５には、両面受光型の太陽電池セルを備え、太陽電池セルの表面から直射光が入射し、かつ表面の裏面から散乱光が入射する太陽電池モジュールが開示されている。
【先行技術文献】
【特許文献】
【０００５】
【特許文献１】特開２００６−１１４８１５号公報
【特許文献２】特開２００７−３０５９２７号公報
【特許文献３】特開平７−２４９７８７号公報
【特許文献４】特開２００４−３３５８２３号公報
【特許文献５】特開２０００−９１６１４号公報
【発明の概要】
【発明が解決しようとする課題】
【０００６】
特許文献１に開示されている技術によれば、光検知層に量子ドットを形成しているので、発生したキャリアのエネルギー損失を抑制することが可能になると考えられる。しかしながら、特許文献１に開示されている技術において、光の吸収量を増大させるために光検知層の厚さを厚くすると、発生したキャリアが電極へ到達するまでの移動距離が長くなる。移動距離が長くなると、キャリアと結晶格子との相互作用等によりエネルギーが失われるため、特許文献１に開示されている太陽電池では、高効率化を図り難いという問題があった。かかる問題は、特許文献１に開示されている技術と、特許文献２〜特許文献５に開示されている技術とを単に組み合わせたとしても、解決することが困難であった。
【０００７】
そこで本発明は、光電変換効率を向上させることが可能な太陽電池を提供することを課題とする。
【課題を解決するための手段】
【０００８】
上記課題を解決するために、本発明は以下の手段をとる。すなわち、
本発明は、光照射により電子及び正孔を生成するキャリア発生層、第１電極、及び第２電極を備え、第１電極及びキャリア発生層は直接又はキャリア移動層を介して接続されるとともに、第２電極及びキャリア発生層は直接又はキャリア移動層を介して接続され、さらに、キャリア発生層の内部に電極が配置され、該電極とキャリア発生層とが直接又はキャリア移動層を介して接続されていることを特徴とする、太陽電池である。
【０００９】
ここに、本発明において、「キャリア移動層」とは、壁層中に、量子井戸層、量子細線、又は、量子ドット等に代表される量子構造部を有する層をいう。キャリア移動層の量子構造部では、量子効果により、離散準位を形成し、所定のエネルギーを有するキャリアを透過させるエネルギーフィルターの役割を果たす。本発明における「キャリア移動層」は、所定のエネルギーを有する電子の移動を許容し正孔の移動を阻止する機能を有する層（電子移動層）、及び、所定のエネルギーを有する正孔の移動を許容し電子の移動を阻止する機能を有する層（正孔移動層）を含む概念である。また、「直接又はキャリア移動層を介して接続される」とは、電極が負電極である場合には、該負電極及びキャリア発生層は、キャリア移動層（電子移動層）を介して接続され、電極が正電極である場合には、該正電極及びキャリア発生層は、キャリア移動層（正孔移動層）を介して接続されても良く、キャリア移動層（正孔移動層）を介さずに接続されても良いことを意味する。さらに、本発明において、「キャリア発生層の内部に電極が配置され」とは、キャリア発生層の表面に電極の表面が剥き出しにならないように電極がキャリア発生層の内部に埋設される形態のほか、例えば、キャリア移動層を介してキャリア発生層と電極とが交互に積層される形態のように、複数のキャリア発生層によって電極が狭持される形態も含む概念である。
【００１０】
また、上記本発明において、第１電極がキャリア発生層の表面側に配置され、且つ、第２電極がキャリア発生層の裏面側に配置されることが好ましい。
【００１１】
また、第１電極がキャリア発生層の表面側に配置され、且つ、第２電極がキャリア発生層の裏面側に配置される上記本発明において、キャリア発生層の裏面側に、光を反射させる光反射手段が備えられることが好ましい。
【００１２】
ここに、本発明において、「光反射手段」は、キャリア発生層の裏面側に光を反射させることが可能であれば、その形態は特に限定されるものではなく、公知の光反射手段を用いることができる。光反射手段の具体例としては、反射鏡等を挙げることができる。
【００１３】
また、第１電極がキャリア発生層の表面側に配置され、且つ、第２電極がキャリア発生層の裏面側に配置される上記本発明において、キャリア発生層の内部に、電極Ａ及び電極Ｂが少なくとも配置されるとともに、キャリア発生層の表面側から裏面側に向けて、第１電極、電極Ａ、電極Ｂ、及び、第２電極がこの順に配置され、第１電極と電極Ａとの間、電極Ａと電極Ｂとの間、及び、電極Ｂと第２電極との間に、キャリア発生層がそれぞれ配設されていることが好ましい。
【００１４】
また、第１電極がキャリア発生層の表面側に配置され、且つ、第２電極がキャリア発生層の裏面側に配置される上記本発明において、キャリア発生層の内部に配置された電極が、絶縁層を介して分割され、分割された電極と、第１電極と、第２電極とが、直列に接続されていても良い。
【００１５】
また、キャリア発生層の内部に配置された電極が、絶縁層を介して分割され、分割された電極と、第１電極と、第２電極とが、直列に接続されている上記本発明において、表面側へと入射する光の強度、及び、裏面側へと入射する光の強度を考慮して、キャリア発生層の内部に配置された電極と第１電極との間に配設されているキャリア発生層の厚さ、及び、キャリア発生層の内部に配置された電極と第２電極との間に配設されているキャリア発生層の厚さが決定されていることが好ましい。
【００１６】
また、キャリア発生層の内部に配置された電極が、絶縁層を介して分割され、分割された電極と、第１電極と、第２電極とが、直列に接続されている上記本発明において、表面側へと入射する光の強度をＩ１、裏面側へと入射する光の強度をＩ２、キャリア発生層の内部に配置された電極と第１電極との間に配設されているキャリア発生層の厚さをｄ１、キャリア発生層の内部に配置された電極と第２電極との間に配設されているキャリア発生層の厚さをｄ２、キャリア発生層の光吸収係数をα、及び、Ｉ０＝Ｉ２／Ｉ１とするとき、ｄ１及びｄ２が下記式（１）を満たすことが好ましい。
【００１７】
【数１】
2010199389.tif 000003
【００１８】
また、第１電極がキャリア発生層の表面側に配置され、且つ、第２電極がキャリア発生層の裏面側に配置される上記本発明において、キャリア発生層の内部に配置された電極と、第１電極と、第２電極とが、並列に接続されていても良い。
【００１９】
また、キャリア発生層の内部に配置された電極と、第１電極と、第２電極とが、並列に接続されている上記本発明において、表面側へと入射する光の強度、及び、裏面側へと入射する光の強度を考慮して、キャリア発生層の内部に配置された電極の第１電極側に配設されているキャリア移動層の障壁位置、及び、キャリア発生層の内部に配置された電極の第２電極側に配設されているキャリア移動層の障壁位置が決定されていることが好ましい。
【００２０】
ここに、「キャリア移動層の障壁位置」とは、キャリア移動層に存在できるキャリアの離散準位の位置（エネルギー）をいう。すなわち、キャリア移動層が、所定のエネルギーを有する電子の移動を許容し正孔の移動を阻止する機能を有する層（電子移動層）である場合には、電子移動層に存在できる電子の離散準位の位置が、キャリア移動層の障壁位置である。同様に、キャリア移動層が、正孔の移動を許容し電子の移動を阻止する機能を有する層（正孔移動層）である場合には、正孔移動層に存在できる正孔の離散準位の位置が、キャリア移動層の障壁位置である。
【発明の効果】
【００２１】
本発明の太陽電池では、キャリア発生層の内部に電極が配置され、該電極とキャリア発生層とが直接又はキャリア移動層を介して接続される。そのため、キャリア発生層の表面及び／又は裏面にのみ電極を配置した場合と比較して、キャリア発生層で発生したキャリアが電極へと到達するまでの移動距離を低減することができる。キャリアの移動距離を低減することにより、移動時にキャリアから失われるエネルギーを低減することが可能になり、その結果、光電変換効率を向上させることが可能になる。したがって、本発明によれば、光電変換効率を向上させることが可能な、太陽電池を提供することができる。
【００２２】
また、本発明において、キャリア発生層の表面側に第１電極が、裏面側に第２電極がそれぞれ配置され、裏面側に光反射手段が備えられることにより、両面受光の太陽電池を提供することができる。両面受光とすることにより、キャリア発生層に吸収される光の量を増大させることが可能になる。したがって、かかる形態とすることにより、光電変換効率を向上させることが容易になる。
【００２３】
また、本発明において、キャリア発生層の表面に第１電極が、キャリア発生層の内部に電極Ａ及び電極Ｂが、キャリア発生層の裏面側に第２電極が、それぞれ配置され、第１電極と電極Ａとの間、電極Ａと電極Ｂとの間、及び、電極Ｂと第２電極との間に、キャリア発生層がそれぞれ配設されることにより、キャリアの移動距離を低減しつつ、太陽電池に含まれるキャリア発生層全体の厚さを増大させることが可能になる。したがって、かかる形態とすることにより、光電変換効率を向上させることが容易になる。
【００２４】
また、本発明において、キャリア発生層の内部に配置され、且つ、絶縁層を介して分割された電極と、第１電極及び第２電極とを直列に接続しても、光電変換効率を向上させることができる。
【００２５】
また、キャリア発生層の内部に配置された電極と第１電極及び第２電極とが直列に接続される本発明において、表面側へと入射する光の強度及び裏面側へと入射する光の強度を考慮して、キャリア発生層の厚さが決定されることにより、電流整合が図られ光電変換効率を向上させることが容易になる。
【００２６】
また、キャリア発生層の内部に配置された電極と第１電極及び第２電極とが直列に接続される本発明において、ｄ１及びｄ２が上記式（１）を満たすことにより、電流整合が図られ光電変換効率を向上させることが容易になる。
【００２７】
また、本発明において、キャリア発生層の内部に配置された電極と、第１電極及び第２電極とを並列に接続しても、光電変換効率を向上させることができる。
【００２８】
また、キャリア発生層の内部に配置された電極と、第１電極及び第２電極とが並列に接続される本発明において、表面側へと入射する光の強度、及び、裏面側へと入射する光の強度を考慮して、キャリア発生層の内部に配置されたキャリア移動層の障壁位置が決定されることにより、光電変換効率を向上させることが容易になる。
【図面の簡単な説明】
【００２９】
【図１】太陽電池１０の形態例を示す断面図である。
【図２】太陽電池２０の形態例を示す断面図である。
【図３】太陽電池３０の形態例を示す断面図である。
【図４】各電極が直列に接続された様子を示す断面図である。
【図５】各電極が並列に接続された様子を示す断面図である。
【発明を実施するための形態】
【００３０】
これまでに提案されているホットキャリア太陽電池は、キャリア発生層で発生させたキャリアを、その寿命内に電極へと到達させるべく、キャリア発生層の厚さを薄くしてキャリアの移動距離を低減する等の対策を施していた。ところが、キャリア発生層の厚さを薄くすると、キャリア発生層における光路長が短くなって光の吸収効率が低下するため、光電変換効率を向上させ難い。一方で、キャリア発生層の厚さを単に厚くすると、キャリアが電極へ到達するまでの移動距離が長くなり、キャリアがエネルギーを失いやすくなるため、光電変換効率を向上させ難い。それゆえ、ホットキャリア太陽電池の光電変換効率を向上させるためには、キャリア発生層の厚さを厚くしてもキャリアの移動距離が増大し難い形態とすることが有効であると考えられる。
【００３１】
本発明者らは、鋭意研究の結果、キャリア発生層の内部にも電極を配置し、当該電極とキャリア発生層との間にキャリア移動層を配置することによって、キャリアが電極へと到達するまでの移動距離を低減させることを知見した。
【００３２】
本発明は、かかる知見に基づいてなされたものである。以下、図面を参照しつつ、本発明について説明する。なお、以下に示す形態は本発明の例示であり、本発明は以下に示す形態に限定されるものではない。
【００３３】
１．第１実施形態
図１は、第１実施形態にかかる本発明の太陽電池１０の形態例を示す断面図である。図１では、太陽電池１０の一部のみを抽出し、拡大して示している。
【００３４】
図１に示すように、太陽電池１０は、キャリア発生層１１ａ、１１ｂ（以下において、キャリア発生層１１ａ、１１ｂをまとめて「キャリア発生層１１」ということがある。）と、第１電極１２（以下において、「正電極１２」という。）と、第２電極１３（以下において、「正電極１３」という。）とを有し、キャリア発生層１１ａ、１１ｂの間に、電極（以下において、「負電極１４」という。）が配置されている。さらに、正電極１２側に配置されたキャリア発生層１１ａと正電極１２との間に正孔移動層１５ａが配置され、正電極１３側に配置されたキャリア発生層１１ｂと正電極１３との間には、正孔移動層１５ｂが配置され、負電極１４とキャリア発生層１１ａとの間には、電子移動層１６ａが配置され、負電極１４とキャリア発生層１１ｂとの間には、電子移動層１６ｂが配置されている。そして、キャリア発生層１１ａ、１１ｂの裏面側には、光反射手段として機能する反射鏡１７が配置され、反射鏡１７を用いて、図１の紙面上方から入射した光を反射させることにより、正電極１２側のみならず、正電極１３側からも光を入射可能なように構成されている。
【００３５】
太陽電池１０に、図１の紙面上方から太陽光を照射すると、キャリア発生層１１ａ、１１ｂで電子及び正孔が生成される。キャリア発生層１１ａ、１１ｂで生成された電子は、キャリア発生層１１ａ、１１ｂから電子移動層１６ａ、１６ｂを通って負電極１４へと達する。図１に示すように、負電極１４は、キャリア発生層１１ａ及びキャリア発生層１１ｂの間、すなわち、キャリア発生層１１の内部に配置されている。そのため、キャリア発生層１１ａの厚さとキャリア発生層１１ｂの厚さとを足した厚さのキャリア発生層の表面又は裏面に負電極が配置されている場合と比較して、太陽電池１０によれば、キャリア発生層１１ａ、１１ｂで生成された電子が負電極１４へと達するまでの移動距離を低減することができる。それにより、太陽電池１０に含まれるキャリア発生層１１のトータルの厚さを厚くでき、光吸収量を増大させつつ、電子のエネルギー損失を低減することが可能になる。さらに、太陽電池１０では、キャリア発生層１１の内部に配置された負電極１４とキャリア発生層１１との間に、電子移動層１６ａ、１６ｂが配置され、負電極１４は電子移動層１６ａ、１６ｂを介してキャリア発生層１１と接続されている。電子移動層１６ａ、１６ｂは、壁層となる広いバンドギャップ材料に、複数の量子構造部を分散して埋設した構造を有し、量子構造部の量子効果により、電子移動層１６ａ、１６ｂの離散準位は、限られた狭いエネルギー幅とされている。かかる構成とすることにより、キャリア発生層１１で生成された電子のうち、電子移動層１６ａ、１６ｂの離散準位のエネルギー幅と一致するエネルギーを有する電子のみを、電子移動層１６ａ、１６ｂへと移動させることができるので、所定の電子のエネルギーを取り出すことができる。
【００３６】
一方、キャリア発生層１１ａ、１１ｂで生成された正孔は、キャリア発生層１１ａ、１１ｂから正孔移動層１５ａ、１５ｂを通って正電極１２、１３へと達する。図１に示すように、正電極１２はキャリア発生層１１の表面側に配置され、正電極１３はキャリア発生層１１の裏面側に配置され、太陽電池１０は両面受光構造とされている。そのため、キャリア発生層１１ａの厚さとキャリア発生層１１ｂの厚さとを足した厚さのキャリア発生層の表面又は裏面に正電極が配置されている場合と比較して、太陽電池１０によれば、キャリア発生層１１ａ、１１ｂで生成された正孔が正電極１２、１３へと達するまでの移動距離を低減することができる。すなわち、かかる形態とすることにより、キャリア発生層１１の厚さを厚くした場合であっても、正孔の移動距離の増大を抑制することができる。さらに、太陽電池１０では、キャリア発生層１１ａ、１１ｂと正電極１２、１３との間に、正孔移動層１５ａ、１５ｂが配置され、正電極１２、１３は正孔移動層１５ａ、１５ｂを介してキャリア発生層１１と接続されている。正孔移動層１５ａ、１５ｂは、壁層となる広いバンドギャップ材料に、複数の量子構造部を分散して埋設した構造を有し、量子構造部の量子効果により、正孔移動層１５ａ、１５ｂの離散準位は、限られた狭いエネルギー幅とされている。かかる構成とすることにより、キャリア発生層１１で生成された正孔のうち、正孔移動層１５ａ、１５ｂの離散準位のエネルギー幅と一致するエネルギーを有する正孔のみを、正孔移動層１５ａ、１５ｂへと移動させることができる。かつ、正孔のエネルギー損失を低減することができる。
【００３７】
一方、キャリア発生層１１に太陽光を入射させると、キャリア発生層１１のうち、太陽光の受光面に近い領域で相対的に高エネルギーのキャリアが生成され、太陽光の受光面から遠い領域で相対的に低エネルギーのキャリアが生成されやすい。ホットキャリア太陽電池は、高エネルギーのキャリアと低エネルギーのキャリアとを相互作用させる過程を通じて高効率化を図るため、ホットキャリア太陽電池の光電変換効率を向上させるためには、高エネルギーのキャリア及び低エネルギーのキャリアを移動させ、空間的に同じ領域で相互作用させることが必要とされる。この点、両面受光の太陽電池１０では、図１の紙面上方から正電極１２へと入射した太陽光によって、相対的に高エネルギーのキャリアがキャリア発生層１１ａで生成され、相対的に低エネルギーのキャリアがキャリア発生層１１ｂで生成される。さらに、反射鏡１７によって反射されることにより紙面下方から正電極１３へと入射した太陽光によって、相対的に高エネルギーのキャリアがキャリア発生層１１ｂで生成され、相対的に低エネルギーのキャリアがキャリア発生層１１ａで生成される。すなわち、太陽電池１０によれば、正電極１２側及び正電極１３側から光を入射させることにより、相対的に高エネルギーのキャリア及び相対的に低エネルギーのキャリアを、キャリア発生層１１ａ及びキャリア発生層１１ｂに存在させることができる。このように、太陽電池１０によれば、高エネルギーのキャリア及び低エネルギーのキャリアを空間的に同じ領域に存在させることができるので、高エネルギーのキャリアが低エネルギーのキャリアと相互作用するために移動する距離、及び、低エネルギーのキャリアが高エネルギーのキャリアと相互作用するために移動する距離を低減することができる。
【００３８】
以上、説明したように、太陽電池１０によれば、（i）電子及び正孔の移動距離を低減することによりエネルギー損失を低減することができ、（ii）さらに、両面受光とすることにより高エネルギーキャリア及び低エネルギーキャリアの移動距離を低減することができ、その結果、相互作用が促進される。そのため、本発明によれば、光電変換効率を向上させることが可能な、太陽電池１０を提供することができる。
【００３９】
太陽電池１０において、キャリア発生層１１は、光を照射することにより電子及び正孔を生成する半導体材料によって構成されていれば、その形態は特に限定されるものではなく、公知の半導体材料を用いることができる。キャリア発生層１１は、例えば、厚さが５０ｎｍ〜２００ｎｍ、バンドギャップが０．５ｅＶ〜２．０ｅＶの半導体材料によって構成することができる。
【００４０】
また、太陽電池１０において、正電極１２及び正電極１３は、太陽電池の正電極として利用可能な各種導電性材料によって構成することができる。正電極１２及び正電極１３は、例えば、厚さが２０ｎｍ〜１００ｎｍの透明なＩＴＯ（Indium Tin Oxide）又はＺｎＯによって構成することができる。なお、正電極１２及び正電極１３の形態は、透明電極に限定されるものではなく、厚さ数ｎｍ程度の金属電極のほか、くし形形状の金属電極とすることも可能である。
【００４１】
また、太陽電池１０において、負電極１４は、太陽電池の負電極として利用可能な各種導電性材料によって構成することができる。負電極１４は、例えば、厚さが５ｎｍ〜５０ｎｍの透明なＩＴＯ（Indium Tin Oxide）又はＺｎＯによって構成することができる。なお、負電極１４の形態は、透明電極に限定されるものではなく、厚さ数ｎｍ程度の金属電極のほか、くし形形状の金属電極とすることも可能である。
【００４２】
また、太陽電池１０において、正孔移動層１５は、壁層となる広いバンドギャップ材料に複数の量子構造部が埋設された構造を有していれば、その形態は特に限定されるものではない。太陽光を吸収せず、且つ、絶縁体を担保するという観点から、壁層を構成する材料のバンドギャップは、３．０ｅＶ〜４．０ｅＶとすることが好ましく、壁層の厚さは５ｎｍ〜５０ｎｍとすることが好ましい。正孔移動層１５の量子構造部の形態例としては、量子井戸、量子細線、又は、量子ドット等を挙げることができる。
【００４３】
また、太陽電池１０において、電子移動層１６は、壁層となる広いバンドギャップ材料に複数の量子構造部が埋設された構造を有していれば、その形態は特に限定されるものではない。太陽光を吸収せず、且つ、絶縁体を担保するという観点から、壁層を構成する材料のバンドギャップは、３．０ｅＶ〜４．０ｅＶとすることが好ましく、壁層の厚さは５ｎｍ〜５０ｎｍとすることが好ましい。電子移動層１６の量子構造部の形態例としては、量子井戸、量子細線、又は、量子ドット等を挙げることができる。
【００４４】
また、太陽電池１０において、反射鏡１７は、正電極１２側から入射する太陽光を反射させて正電極１３へと入射させることが可能であれば、その構成材料及び形態は特に限定されず、公知のものを用いることができる。
【００４５】
このような太陽電池１０は、例えば、基板上に形成した正電極１３の表面に、正孔移動層１５、キャリア発生層１１ｂ、電子移動層１６、負極１４、電子移動層１６、キャリア発生層１１ａ、正孔移動層１５、及び、正電極１２を、公知の方法で順に形成し、正電極１３側に反射鏡１７を配置することにより、作製することができる。
【００４６】
上記説明では、両面受光形態の太陽電池１０を例示したが、本発明の太陽電池は両面受光形態に限定されるものではない。ただし、上記（i）及び（ii）の効果を奏することができ、かつ、光吸収量を増大させやすい形態の太陽電池を提供する等の観点からは、両面受光形態の太陽電池とすることが好ましい。
【００４７】
また、太陽電池１０に関する上記説明では、キャリア発生層１１ａ及びキャリア発生層１１ｂの間に、電子移動層１６ａ、１６ｂに挟まれた負電極１４が配置される形態を例示したが、本発明の太陽電池は当該形態に限定されるものではない。本発明の太陽電池は、キャリア移動層に囲まれた電極がキャリア発生層の内部に埋設される形態とすることも可能である。
【００４８】
また、太陽電池１０に関する上記説明では、２つのキャリア発生層１１ａ、１１ｂの間（内部）へ、電子移動層１６ａ、１６ｂに挟まれた１つの負電極１４が配置される形態を例示したが、本発明の太陽電池は当該形態に限定されるものではない。本発明の太陽電池は、キャリア発生層の内部に複数の電極が配置される形態とすることも可能である。
【００４９】
２．第２実施形態
図２は、第２実施形態にかかる本発明の太陽電池２０の形態例を概略的に示す断面図である。図２では、太陽電池２０の一部のみを抽出し、拡大して示している。図２において、太陽電池１０と同様に構成されるものには、図１で使用した符号と同一の符号を付し、その説明を適宜省略する。
【００５０】
図２に示すように、太陽電池２０は、キャリア発生層２１と、正電極１２と、正電極１３と、キャリア発生層２１及び正電極１２の間に配設された正孔移動層１５と、キャリア発生層２１及び正電極１３の間に配設された正孔移動層１５と、を備え、さらに、電子移動層２２、２２に囲まれた負電極２３、２３がキャリア発生層２１の内部に埋設されている。そして、キャリア発生層２１の裏面側には、光反射手段として機能する反射鏡１７が配置され、反射鏡１７を用いて、図２の紙面上方から入射した光を反射させることにより、正電極１２側のみならず、正電極１３側からも光を入射可能なように構成されている。かかる形態の太陽電池２０であっても、太陽電池１０と同様の効果（上記（i）、（ii））を奏することができる。太陽電池２０において、キャリア発生層２１はキャリア発生層１１と同様の材料によって構成することができる。また、太陽電池２０において、電子移動層２２は電子移動層１６と同様の材料によって構成することができ、負電極２３は負電極１４と同様の材料によって構成することができる。
【００５１】
３．第３実施形態
図３は、第３実施形態にかかる本発明の太陽電池３０の形態例を概略的に示す断面図である。図３では、太陽電池３０の一部のみを抽出し、拡大して示している。図３において、太陽電池１０と同様に構成されるものには、図１で使用した符号と同一の符号を付し、その説明を適宜省略する。
【００５２】
図３に示すように、太陽電池３０は、紙面上側から、正電極１２、正孔移動層１５、キャリア発生層１１ａ、電子移動層１６、負電極１４、電子移動層１６、キャリア発生層３１、正孔移動層１５、正電極１３、正孔移動層１５、キャリア発生層１１ｂ、電子移動層１６、及び、負電極３２が順に配置されている。そして、キャリア発生層１１及びキャリア発生層３１の裏面側には、光反射手段として機能する反射鏡１７が配置され、反射鏡１７を用いて、図３の紙面上方から入射した光を反射させることにより、正電極１２側のみならず、負電極３２側からも光を入射可能なように構成されている。このように、キャリア発生層１１ａ及びキャリア発生層１１ｂに加え、さらにキャリア発生層３１が備えられる形態とすることにより、太陽電池１０によって得られる効果に加え、光吸収量を増大させることが容易になる。太陽電池３０において、キャリア発生層３１は、例えばキャリア発生層１１と同様の材料によって構成することができ、負電極３２は負電極１４と同様の材料によって構成することができる。太陽電池３０のように、奇数個のキャリア発生層が備えられる場合には、太陽電池１０、２０の場合とは異なり、キャリア発生層１１の表面側に配置される第１電極（正電極１２）と、キャリア発生層１１の裏面側に配置される第２電極（負電極３２）とが、反対極になる。
【００５３】
太陽電池３０において、受光面から離れているキャリア発生層３１では、キャリア発生層１１ａやキャリア発生層１１ｂと比較して高エネルギーのキャリアが発生し難く、キャリア発生層１１ａやキャリア発生層１１ｂよりもキャリアが拡散し難いことが予想される。そのため、キャリアを容易に拡散させやすい形態にする等の観点から、キャリア発生層３１はｐｉｎ構造とすることが好ましい。かかる形態とすることにより、内部電界が発生するため、キャリアをドリフトにより移動拡散させることが容易になる。
【００５４】
太陽電池３０に関する上記説明では、３つのキャリア発生層が備えられる形態を例示したが、本発明の太陽電池は当該形態に限定されるものではない。本発明の太陽電池は、４以上のキャリア発生層が備えられる形態とすることも可能である。
【００５５】
以上説明した本発明の太陽電池１０、２０、３０は、各電極を直列に接続しても良く、並列に接続しても良い。そこで、以下に、各電極を直列に接続した場合、及び、各電極を並列に接続した場合のそれぞれについて、具体的に説明する。
【００５６】
＜直列接続の場合＞
図４は、各電極が直列に接続された太陽電池４０の形態例を示す図である。図４において、太陽電池１０と同様に構成されるものには、図１で使用した符号と同一の符号を付し、その説明を適宜省略する。
【００５７】
図４に示すように、太陽電池４０は、紙面上側から、正電極１２、正孔移動層１５、キャリア発生層１１ａ、電子移動層１６、負電極４１、電子移動層１６、キャリア発生層１１ｂ、正孔移動層１５、及び、正電極１３が、順に配置されている。また、キャリア発生層１１の裏面側には、光反射手段として機能する反射鏡１７が配置され、反射鏡１７を用いて、図４の紙面上方から入射した光を反射させることにより、正電極１２側のみならず、正電極１３側からも光を入射可能なように構成されている。キャリア発生層１１の内部に配置されている負電極４１は、絶縁膜４２によって、絶縁膜４２の上側の負電極４１ａ、及び、絶縁膜４２の下側の負電極４１ｂに分割されている。太陽電池４０において、負電極４１ａ及び正電極１３は導線４３を介して接続されており、正電極１２及び負電極４１ｂには、それぞれ導線４４、４５が接続されている。かかる形態とすることにより、太陽電池４０に備えられる各電極を、直列に接続することができる。
【００５８】
各電極を直列に接続する場合、直列回路内を流れる電流は一定になる。ここで、正電極１２へと入射する太陽光の強度をＩ１、正電極１３へと入射する太陽光の強度をＩ２とするとき、Ｉ１＝Ｉ２であれば、キャリア発生層１１ａの厚さｄ１とキャリア発生層１１ｂの厚さｄ２とを等しくすることにより、キャリア発生層１１ａから取り出せる電流値Ａ１、及び、キャリア発生層１１ｂから取り出せる電流値Ａ２を等しくすることができる。ところが、Ｉ１とＩ２とが等しくない場合（以下において、Ｉ１＞Ｉ２と仮定する。）、ｄ１＝ｄ２にすると、Ａ１＞Ａ２となり、太陽電池４０からは電流値Ａ２が取り出される。すなわち、Ｉ１＞Ｉ２の場合にｄ１＝ｄ２とすると、電流値Ａ１−Ａ２に相当するエネルギーが損失となる。したがって、エネルギー損失を低減して光電変換効率を向上させやすい形態の太陽電池４０を提供する等の観点からは、Ｉ１とＩ２とが等しくない場合であっても、Ａ１＝Ａ２とすることが好ましい。Ｉ１とＩ２とが等しくない場合にＡ１＝Ａ２とするには、Ｉ１及びＩ２に応じてｄ１及びｄ２を最適化すれば良い。
【００５９】
以下、ｄ１及びｄ２の最適化について説明する。なお、簡略化のため、キャリア発生層１１の光吸収係数を固定し、キャリア発生層１１の内部に配置された電子移動層１６ａ、１６ｂ、負電極４１、及び、絶縁膜４２の厚さは無視する。
【００６０】
キャリア生成率Ｇ（ｘ）は、次の式で与えられる。
Ｇ（ｘ）＝αＩｅｘｐ（−αｘ）
ここで、αは光吸収係数、Ｉは入射光の強度、ｘは侵入長である。
【００６１】
Ａ１＝Ａ２とするためには、キャリア発生層１１ａで生成されるキャリア数とキャリア発生層１１ｂで生成されるキャリア数とを等しくすれば良い。そのため、以下の式を満たすことが必要とされる。
【００６２】
【数２】
2010199389.tif 000004
この式は、次のように書き換えることができる。
【００６３】
【数３】
2010199389.tif 000005
ここで、Ｉ０＝Ｉ２／Ｉ１である。
【００６４】
したがって、Ｉ０を与えれば、ｄ１及びｄ２の最適比を求めることができ、最適構造を得ることができる。例えば、キャリア発生層１１がＧａＡｓによって構成される場合、Ｉ０＝０．８、波長５００ｎｍにおける光吸収係数α＝１．０８×１０−５ｃｍ−１として、ｄ２＝１００ｎｍを上記式（１）へ代入すると、ｄ１＝８８ｎｍとなる。したがって、この場合、キャリア発生層１１ａとキャリア発生層１１ｂとの厚さの比ｄ１／ｄ２の最適値は、ｄ１／ｄ２＝０．８８となる。
【００６５】
太陽電池４０において、負電極４１は、負電極１４と同様の材料によって構成することができ、導線４３、４４、４５は公知の導電性材料によって構成することができる。また、太陽電池４０において、絶縁膜４２は、厚さ１０ｎｍ〜５０ｎｍのＳｉＯ２によって構成することができる。
【００６６】
太陽電池４０に関する上記説明では、２つのキャリア発生層１１ａ、１１ｂが備えられる形態を例示した。一方で、上述のように、本発明の太陽電池は、３つ以上のキャリア発生層が備えられる形態とすることも可能である。３つ以上のキャリア発生層が備えられる太陽電池の各電極を直列に接続する場合も、Ｉ１とＩ２とが異なる場合には、Ｉ１及びＩ２に応じて各キャリア発生層の厚さを決定することが好ましい。そこで、キャリア発生層が３つの場合、及び、４つ以上の場合について、充足すべき関係式を以下に示す。
【００６７】
・キャリア発生層が３つの場合
太陽電池の表面へと入射する光の強度をＩ１、裏面へと入射する光の強度をＩ２、３つのキャリア発生層の厚さを、表面側から順にｄ１、ｄ２、ｄ３とし、Ｉ０＝Ｉ２／Ｉ１とする。キャリア発生層が３つの場合も、エネルギー損失を低減するためには各キャリア発生層で生成されるキャリア数を等しくすれば良い。そのため、以下の式を満たすことが必要とされる。
【００６８】
【数４】
2010199389.tif 000006
この式を積分し、（−α＋１）をかけると、以下の式を得ることができる。
【００６９】
【数５】
2010199389.tif 000007
この式を、Ｉ０＝Ｉ２／Ｉ１を用いて整理すると、次の３つの式を得ることができる。
【００７０】
【数６】
2010199389.tif 000008
【００７１】
【数７】
2010199389.tif 000009
【００７２】
【数８】
2010199389.tif 000010
すなわち、キャリア発生層が３つの場合には、上記式（２）、式（３）、及び、式（４）を満たすように、ｄ１、ｄ２、ｄ３を決定すれば良い。
【００７３】
・キャリア発生層がｎ（≧４）個の場合
太陽電池の表面へと入射する光の強度をＩ１、裏面へと入射する光の強度をＩ２、キャリア発生層の厚さを、表面側から順にｄ１、ｄ２、…、ｄｎとする。キャリア発生層がｎ（≧４）個の場合も、エネルギー損失を低減するためには各キャリア発生層で生成されるキャリア数を等しくすれば良い。そのため、以下の式を満たすことが必要とされる。
【００７４】
【数９】
2010199389.tif 000011
キャリア発生層が４つ以上の場合には、キャリア発生層が３つの場合と以下同様にして、ｄ１、ｄ２、…、ｄｎを決定すれば良い。
【００７５】
＜並列接続の場合＞
図５は、各電極が並列に接続された太陽電池１０の形態例を示す図である。図５に示すように、太陽電池１０は、正電極１２及び正電極１３を導線１８で接続し、負電極１４に導線１９を接続することにより、各電極を並列に接続することができる。
【００７６】
各電極を並列に接続する場合、並列回路内の電圧は一定になる。そのため、各電極を並列に接続する場合には、キャリア発生層１１ａの電流値、及び、キャリア発生層１１ｂの電流値をそれぞれ最大化することにより、太陽電池１０の光電変換効率を最大化することが可能になる。ここで、正電極１２へと入射する太陽光の強度をＩ１、正電極１３へと入射する太陽光の強度をＩ２とするとき、Ｉ１＝Ｉ２であれば、キャリア発生層１１ａで生成されるキャリアの平均エネルギーは、キャリア発生層１１ｂで生成されるキャリアの平均エネルギーと等しくなると考えられる。そのため、この場合には、負電極１４とキャリア発生層１１ａとの間に配置された電子移動層１６ａの障壁、及び、負電極１４とキャリア発生層１１ｂとの間に配置された電子移動層１６ｂの障壁を、何れも、キャリア発生層１１で生成されたキャリアの平均エネルギー値に設けることにより、太陽電池１０の光電変換効率を最大化することが可能になる。
【００７７】
これに対し、Ｉ１とＩ２とが等しくない場合（以下において、Ｉ１＞Ｉ２と仮定する。）には、キャリア発生層１１ａで生成されるキャリアの平均エネルギーが、キャリア発生層１１ｂで生成されるキャリアの平均エネルギーよりも高くなると考えられる。この場合、キャリア発生層１１ａの電流値を最大化するには、電子移動層１６ａの障壁を、キャリア発生層１１ａで生成されたキャリアの平均エネルギー値に設ければ良く、キャリア発生層１１ｂの電流値を最大化するには、電子移動層１６ｂの障壁を、キャリア発生層１１ｂで生成されたキャリアの平均エネルギー値に設ければ良い。すなわち、例えば、キャリア発生層１１ａで生成されたキャリアの平均エネルギー値が１．３ｅＶであり、キャリア発生層１１ｂで生成されたキャリアの平均エネルギー値が１．２ｅＶである場合、電子移動層１６ａの障壁を１．３ｅＶの位置に設け、電子移動層１６ｂの障壁を１．２ｅＶの位置に設けることにより、太陽電池１０の光電変換効率を最大化することが可能になる。
【００７８】
以上、表面側から、正電極、正孔移動層、キャリア発生層、電子移動層、負電極、電子移動層、キャリア発生層、正孔移動層、正電極、…の順で配置される形態の太陽電池１０、２０、３０、４０について説明したが、本発明の太陽電池は当該形態に限定されるものではない。本発明の太陽電池は、表面側から、負電極、電子移動層、キャリア発生層、正孔移動層、正電極、正孔移動層、キャリア発生層、電子移動層、負電極、…の順で配置される形態とすることも可能である。なお、正孔は有効質量が大きいため、正孔密度分布が価電子帯の上端に近づき、その結果正孔エネルギー分布も価電子帯の上端に位置する。そのため、これまでの本発明の説明では正孔移動層が備えられる形態について説明したが、本発明の太陽電池において、正孔移動層は必須の構成要素ではない。
【産業上の利用可能性】
【００７９】
本発明の太陽電池は、電気自動車の動力源や太陽光発電システム等に利用することができる。
【符号の説明】
【００８０】
１０…太陽電池
１１…キャリア発生層
１１ａ…キャリア発生層
１１ｂ…キャリア発生層
１２…正電極（第１電極）
１３…正電極（第２電極）
１４…負電極
１５…正孔移動層（キャリア移動層）
１６…電子移動層（キャリア移動層）
１７…反射鏡（光反射手段）
１８…導線
１９…導線
２０…太陽電池
２１…キャリア発生層
２２…電子移動層（キャリア移動層）
２３…負電極
３０…太陽電池
３１…キャリア発生層
３２…負電極（第２電極）
４０…太陽電池
４１…負電極
４１ａ…負電極
４１ｂ…負電極
４２…絶縁膜
４３…導線
４４…導線
４５…導線
【図１】
2010199389.tif 000013
【図２】
2010199389.tif 000014
【図３】
2010199389.tif 000015
【図４】
2010199389.tif 000016
【図５】
2010199389.tif 000017